(57)【要約】      （修正有）【課題】ブラシの掛合、解除と取り出しが同時に達成するプッシュバック式替えブラシの歯ブラシを提供する。【解決手段】グリップ１０、ブラシハンドル部前段２０、押止機構及びブラシ４０から構成され、ブラシハンドル部前段はグリップに押し込み操作可能に連結され、ブラシハンドル部前段はブラシの受台を備える。押止機構は、相互に重ねた押片３１及び掛合固定片３２を備えてブラシハンドル部前段内に設置され、押片と掛合固定片の一端はグリップに固定され、掛合固定片の他端はブラシとブラシハンドル部前段に掛合する。ブラシハンドル部前段をグリップ方向へ押し込み操作すると、掛合固定片が、ブラシハンドル部前段とブラシの掛合を解除し、同時に押片がブラシを受台から離す方向に押し出す。【選択図】図４
0003203706.tif 000002
【実用新案登録請求の範囲】
【請求項１】
プッシュバック式替えブラシの歯ブラシにおいて、
グリップと、
該グリップに対して押し込み操作可能に連結し、ブラシの受台を備えるブラシハンドル部前段と、
押片及び掛合固定片を相互に重ねて該ブラシハンドル部前段に差し込み、該押片と該掛合固定片の一端は該グリップに固定した押止機構と、
取替式で該受台に設置され、該掛合固定片の他端は該ブラシハンドル部前段との間で掛合するブラシを備え、
該ブラシハンドル部前段を該グリップ方向に押し込み操作することにより、該掛合固定片が、該ブラシハンドル部前段と該ブラシを掛合解除し、同時に該押片で該ブラシを押圧して該受台から分離するように離すことを特徴とするプッシュバック式替えブラシの歯ブラシ。
【請求項２】
前記グリップは、納置空間を形成し、前記押止機構は更に加圧部品及び該加圧部品と連結する圧縮バネを備え、該加圧部品と該圧縮バネを該納置空間内に納置し、更に前記ブラシハンドル部前段と該グリップの間に弾性挟持したことを特徴とする請求項１記載のプッシュバック式替えブラシの歯ブラシ。
【請求項３】
前記グリップは、該納置空間を連通する差込溝を設置し、該押止機構は更に該グリップを枢設する回転腕を備え、該加圧部品は係止溝を設置し、該回転腕は該差込溝に挿入して、該係止溝に掛合する掛合凸部を備えることを特徴とする請求項２記載のプッシュバック式替えブラシの歯ブラシ。
【請求項４】
前記グリップの該納置空間内部にボルトねじを設置して、前記押片と掛合固定片はネジ固定部品を挿着して該ボルトねじで固定したことを特徴とする請求項２記載のプッシュバック式替えブラシの歯ブラシ。
【請求項５】
前記グリップの該納置空間は、内部に掛合縁を設置し、該ブラシハンドル部前段の後側は該掛合縁と相互に掛合固定する係止凸部を設置したことを特徴とする請求項２記載のプッシュバック式替えブラシの歯ブラシ。
【請求項６】
前記ブラシハンドル部前段には差込孔を設置し、該加圧部品は段付き丸稈、該段付き丸稈から延長した掛合停止段、該掛合停止段から延長した凸柱を備え、該段付き丸稈は該圧縮バネを弾性停止し、該凸柱は該差込孔に対応して挿着したことを特徴とする請求項２記載のプッシュバック式替えブラシの歯ブラシ。
【請求項７】
前記グリップは、背面側に該納置空間に連通した凹孔を設置し、
前記押止機構は上記凹孔を閉塞する蓋体を備えると共に、該押止機構の加圧部品には該凹孔に向けた係止孔を設け、
上記蓋体には該係止孔に対応する定位柱を設けて、
該蓋体を該凹孔に嵌合して押し込み閉塞すると共に上記定位柱を上記係止孔に挿入して固定することを特徴とする請求項２記載のプッシュバック式替えブラシの歯ブラシ。
【請求項８】
前記ブラシハンドル部前段には、前記受台まで達する穿孔を設置して、前記掛合固定片と押片は該穿孔内を該受台まで延長されていることを特徴とする請求項１記載のプッシュバック式替えブラシの歯ブラシ。
【請求項９】
前記受台は下台座及び該下台座に相対してカバーする上台座を備え，該上台座は縱向連通溝と、該縱向連通溝と相互に通じる横向連通溝を設置し、前記掛合固定片の端部は一対の弾性フックを形成し、該押片の前段と各該弾性フックは該縱向連通溝と該横向連通溝内に納置したことを特徴とする請求項８記載のプッシュバック式替えブラシの歯ブラシ。
【請求項１０】
前記縱向連通溝の内部には三角凸部が突出し、該三角凸部の両側に沿って該横向連通溝までの間にそれぞれ停止斜面を形成し、前記各弾性フックはそれぞれ該三角凸部と各該停止斜面の間にセットすることを特徴とする請求項９記載のプッシュバック式替えブラシの歯ブラシ。
【請求項１１】
前記ブラシは、ブラシ台を備え、該ブラシ台は一対の掛合溝を設置し、前記各弾性フックの角端は該横向連通溝から突出・露出して各該掛合溝に掛合することを特徴とする請求項１０記載のプッシュバック式替えブラシの歯ブラシ。
【考案の詳細な説明】
【技術分野】
【０００１】
本考案は、歯ブラシに関するもので、特にプッシュバック式替えブラシの歯ブラシに係る。
【背景技術】
【０００２】
現在、市場で販売されている歯ブラシは、ほとんどがプラスチック材で製造されていて、その使用寿命は通常三ヶ月程度で、歯ブラシのブラシ毛は歯に擦られ続けることによって、一定度の摩耗が発生し、洗浄機能が下がり、細菌が発生しやすくなるため、廃棄しなければならない。しかしながら、これは資源の浪費であり、環境保護に良くない。
【０００３】
業界では前述の問題を有効に改善するため、ブラシを交換する歯ブラシをデザインしている。それは主にグリップ及びグリップに連接するブラシを含む。ブラシはグリップと連接する台座及びブラシ毛が植えられた歯ブラシ片を含む。そのうち、台座と歯ブラシ片は互いに嵌合して結合する嵌合溝と嵌合部を備え、ブラシ毛を備えた歯ブラシ片を台座上に嵌合して結合し、替えブラシの歯ブラシを合わせる。
【先行技術文献】
【特許文献】
【０００４】
【特許文献１】実開平２−６８７２４号公報
【考案の概要】
【考案が解決しようとする課題】
【０００５】
解決しようとする問題点は、実際の使用過程において、嵌合溝を用いて固定すると、一定使用期間後に，差込孔が緩み、外れてしまいやすくなる点である。
【課題を解決するための手段】
【０００６】
本考案は、グリップ、ブラシハンドル部前段、押止機構及びブラシを含む。ブラシハンドル部前段はグリップに可動式で連結する。ブラシハンドル部前段は受台を備える。押止機構は相互に重ね、更にブラシハンドル部前段に設置する押片及び掛合固定片を含み、押片と掛合固定片の一端はグリップに固定する。ブラシは受台に取替式で設置し、掛合固定片の別一端はブラシとブラシハンドル部前段に掛合する。そのうち、ブラシハンドル部前段をグリップ方向へ押入れると、掛合固定片がブラシハンドル部前段とブラシの掛合を解除し、同時に押片がブラシを受台から離す方向に押し出すことを最も主要な特徴とする。
【考案の効果】
【０００７】
本考案のプッシュバック式替えブラシの歯ブラシは、ブラシハンドル部前段をグリップ内に押入れ、同時にブラシの掛合解除と離脱を達成し、更に操作の便利性を高めるという利点がある。
【図面の簡単な説明】
【０００８】
【図１】本考案のプッシュバック式替えブラシの歯ブラシ立体外観図である。
【図２】本考案のプッシュバック式替えブラシの歯ブラシ分解図である。
【図３】本考案のプッシュバック式替えブラシの歯ブラシの別角度視角分解図である。
【図４】本考案のプッシュバック式替えブラシの歯ブラシの組立断面図である。
【図５】本考案の押止機構とブラシの組立局部断面図である。
【図６】本考案のプッシュバック式替えブラシの歯ブラシ使用状態断面図である。
【図７】本考案のプッシュバック式替えブラシの歯ブラシ使用状態別の断面図である。
【図８】本考案の別実施例の立体外観図である。
【考案を実施するための形態】
【０００９】
ブラシハンドル部前段をグリップ内に押入れることで、同時にブラシの掛合解除と離脱を達成し、更に操作の便利性を高めるプッシュバック式替えブラシの歯ブラシを提供することを本考案の目的とする。
【００１０】
上述の目的を達成するため、本考案のプッシュバック式替えブラシの歯ブラシを提供する。それはグリップ、ブラシハンドル部前段、押止機構及びブラシを含む。該ブラシハンドル部前段は該グリップに対して押し込み可動式で連結し、該ブラシハンドル部前段は受台を備える。該押止機構は相互に重ね、該ブラシハンドル部前段に連結する押片及び掛合固定片を含み、該押片と該掛合固定片の一端は該グリップに固定する。該ブラシは取替式で該受台に設置し、該掛合固定片の別一端は該ブラシと該ブラシハンドル部前段に掛合する。そのうち、該ブラシハンドル部前段を該グリップ方向に押入れ、そのうち、ブラシハンドル部前段をグリップ方向へ押入れ、掛合固定片がブラシハンドル部前段とブラシの掛合を解除し、同時に押片がブラシを受台から離れる方向に押し出す。
【００１１】
本考案は更に以下の効果を備える。回転腕の掛合凸部と差込溝、係止溝の相互組立によって、装着効果を達成する。グリップの掛合縁とブラシハンドル部前段の掛合凸部が相互に掛合することで、作用を制限する。各弾性フックによって、停止斜面が押さえを受け、省力化される。各弾性フックによって横向連通溝と掛合溝内に掛合し、ブラシの各ブラシ毛で人の歯に対して上下左右に移動して洗った時、受台でブラシが安定して固定され、緩んだり分離したりする等の不良状況を発生しない。
【実施例１】
【００１２】
本考案の詳細な説明及び技術内容は、図式と共に以下に説明するが、図式は参考として提供するに過ぎず、本考案を制限するものではない。
【００１３】
図１から図５に示すとおり、本考案はプッシュバック式替えブラシの歯ブラシを提供し、それはグリップ１０、ブラシハンドル部前段２０、押止機構３０及びブラシ４０から構成される。
【００１４】
グリップ１０は、プラスチック等の材質で製造した細長形状で、グリップ１０前側の中心位置に納置空間１１を形成し、他にグリップ１０の背面前側には納置空間１１と相互に連通する差込溝１２(図３参照)を設置し、納置空間１１の内壁上方箇所には間隔をあけ、多数個のボルトねじ１３と掛合縁１４(図４参照)を設置する。
【００１５】
ブラシハンドル部前段２０は、グリップ１０の前側位置に形成した納置空間１１に押し込み可動式で挿入してセットされる。そのブラシハンドル部前段２０はプラスチック材質で製造してもよい。その長さ方向に沿って前後に相通じる穿孔２１(図４参照)を形成し、ブラシハンドル部前段２０の前側には受台２２を設け、該受台２２は下台座２２１及び下台座２２１に対応してカバー固定する上台座２２２を備える。
上台座２２２面の下台座２２１に対面する側の端面には縱向連通溝２２３と縱向連通溝２２３と相互に通じる横向連通溝２２４を成形し、縱向連通溝２２３の中段には三角凸部２２５を凸設置する。更に、三角凸部２２５の両側に沿って横向連通溝２２４までの位置にはそれぞれ停止斜面２２６(図３参照)を成形する。またブラシハンドル部前段２０の後側表面には係止凸部２３を設置し、その係止凸部２３は前述の掛合縁１４と相互に掛合する。更にブラシハンドル部前段２０の後側には差込孔２４(図４参照)を設置する。
【００１６】
押止機構３０は、押片３１、掛合固定片３２、加圧部品３３、圧縮バネ３４及び回転腕３５からなる。該押片３１と該掛合固定片３２はどちらも金属材で製造した細長状の板片であり、掛合固定片３２の前端には一対の弾性フック３２１が成形され、各弾性フック３２１がちょうど三角形を形成する。掛合固定片３２は押片３１の上方で重なり、更にネジ等の固定部品を挿設して前述の各ボルトねじ１３でグリップ１０に固定する。押片３１の前段と各弾性フック３２１は前述の上台座２２２の縱向連通溝２２３と横向連通溝２２４内に納置され、各弾性フック３２１が前述の三角凸部２２５と各停止斜面２２６の間に位置してセットされ、且つ各弾性フック３２１の角端はそれぞれ横向連通溝２２４から外部に向けて露出する。
【００１７】
加圧部品３３と圧縮バネ３４は、前述の納置空間１１の底段に相互連結して納置され、加圧部品３３は段付き丸稈３３１、段付き丸稈３３１最上端から上向きに延びた掛合停止段３３２、掛合停止段３３２最上端から上向きに延びた凸柱３３３及び掛合停止段３３２最上部から前側向きに延びた半円塊３３４を備える。圧縮バネ３４は段付き丸稈３３１とグリップ１０の納置空間１１底壁の間に弾性挟持され、凸柱３３３は前述のブラシハンドル部前段２０の差込孔２４に挿入し、半円塊３３４はブラシハンドル部前段２０の下端部に貼り合わせ、掛合停止段３３２には係止溝３３５を設置する。回転腕３５はグリップ１０に枢設し、且つ回転腕３５は前述のグリップ１０の差込溝１２に差し込んで係止溝３３５に掛合する掛合凸部３５１(図４参照)を備える。
【００１８】
ブラシ４０は、ブラシ台４１及びブラシ台４１上に設置する多数のブラシ毛４２を備える。ブラシ台４１は前述の受台２２に取替式で設置し、ブラシ台４１の両側は前述の横向連通溝２２４に対応する位置にそれぞれ掛合溝４１１を設置し、前述の各弾性フック３２１は横向連通溝２２４と掛合溝４１１で掛合して固定する。使用者がグリップ１０を握り、ブラシ４０の各ブラシ毛４２で人の歯に対して上下左右に移動して洗う時、受台２２でブラシ４０が安定して固定され、緩んだり分離したりする等の不具合を発生することなく、更に使用時の安全性を高める。
【００１９】
図６及び図７に示すとおり、使用時には回転腕３５をその枢設箇所を回転中心として上向きに持ち上げ、掛合凸部３５１を係止溝３３５及び差込溝１２から抜き出す。ブラシハンドル部前段２０をグリップ１０の納置空間１１内部方向へ押し入れる。この時、押片３１と掛合固定片３２は固定して動かないので、受台２２が下方向に移動し、停止斜面２２によって、各弾性フック３２１を内側へ押して入り、各弾性フック３２１の角端がブラシ台４１の掛合溝４１１と横向連通溝２２４から移動し、更にブラシ台４１と受台２２の掛合固定を解除し、同時にブラシ台４１の最上縁が押片３１の押圧によってブラシ台４１を受台２２から離す方向へ押し出す。
【実施例２】
【００２０】
図８に示すとおり、本考案のプッシュバック式替えブラシの歯ブラシは、上述の実施例の他に、グリップ１０の背面側下方に納置空間１１に連通した凹孔１５を設置し、並びに加圧部品３３の段付き丸桿３３１に係止孔３３６を設置する。当実施例は、蓋体３６によって前述の実施例の回転腕３５の代替とし、蓋体３６は定位柱３６１を備え、ブラシハンドル部前段２０に於いてグリップ１０の納置空間１１向きに押し込むと、係止孔３３６はちょうど凹孔１５内に嵌合し、その時に蓋体３６を凹孔１５に押し込み、定位柱３６１を係止孔３３６内に挿入することでブラシハンドル部前段２０とグリップ１０の組み合わせの位置決めが達成される。
【００２１】
上述に示すとおり、本考案のプッシュバック式替えブラシの歯ブラシは予定された使用目的を達成し、公知の欠点を改善する。また、新規性及び進歩性に優れるため、実用新案申請要件に完全に符合する。
【符号の説明】
【００２２】
１０      グリップ
１１      納置空間
１２      差込溝
１３      ボルトねじ
１４      掛合縁
１５      凹孔
２０      ブラシハンドル部前段
２１      穿孔
２２      受台
２２１      下台座
２２２      上台座
２２３      縱向連通溝
２２４      横向連通溝
２２５      三角凸部
２２６      停止斜面
２３      係止凸部
２４      差込孔
３０      押止機構
３１      押片
３２      掛合固定片
３２１      弾性フック
３３      加圧部品
３３１      段付き丸稈
３３２      掛合停止段
３３３      凸柱
３３４      半円塊
３３５      係止溝
３３６      係止孔
３４      圧縮バネ
３５      回転腕
３５１      掛合凸部
３６      蓋体
３６１      定位柱
４０      ブラシ
４１      ブラシ台
４１１      掛合溝
４２      ブラシ毛
【図１】
0003203706.tif 000003
【図２】
0003203706.tif 000004
【図３】
0003203706.tif 000005
【図４】
0003203706.tif 000006
【図５】
0003203706.tif 000007
【図６】
0003203706.tif 000008
【図７】
0003203706.tif 000009
【図８】
0003203706.tif 000010